(57)【要約】【課題】伝送装置においてリングネットワークのＷ／Ｐパスの重複データを検出し、廃棄する。【解決手段】挿入・分離多重変換手段１は、信号のアッド・ドロップおよびクロスコネクトを行う。ブリッジ３ａ，３ｂは、例えば、ＦＳ−Ｒの制御信号を受信すると、挿入・分離多重変換手段１から出力される信号を、リングネットワークのワークとプロテクションとのルートに分配して出力する。廃棄情報挿入手段４ａ，４ｂは、ブリッジ３ａ，３ｂが信号の分配を実施したとき、ブリッジ３ａ，３ｂの出力するワーク側の信号に廃棄情報を挿入する。廃棄情報検出手段５は、挿入・分離多重変換手段１によってドロップされる信号に廃棄情報が含まれているか否か検出する。信号廃棄手段６は、廃棄情報検出手段５の廃棄情報の検出に基づいて信号を廃棄する。【選択図】図１
2008078940.tif 000002
【特許請求の範囲】
【請求項１】
リングネットワークを構成する伝送装置において、
信号のアッド・ドロップおよびクロスコネクトを行う挿入・分離多重変換手段と、
制御信号に応じて前記挿入・分離多重変換手段から出力される前記信号を前記リングネットワークのワークとプロテクションとのルートに分配して出力するブリッジと、
前記ブリッジが前記信号の分配を実施したとき、前記ワーク側に出力される前記信号に廃棄情報を挿入する廃棄情報挿入手段と、
ドロップされる前記信号に前記廃棄情報が含まれているか否か検出する廃棄情報検出手段と、
前記廃棄情報検出手段の前記廃棄情報の検出に基づいて、ドロップする前記信号を廃棄する信号廃棄手段と、
を有することを特徴とする伝送装置。
【請求項２】
前記廃棄情報挿入手段は、前記信号のパスオーバヘッドのＮ１バイトに前記廃棄情報を挿入することを特徴とする請求項１記載の伝送装置。
【請求項３】
前記廃棄情報挿入手段は、前記信号のパスのペイロードに前記廃棄情報を挿入することを特徴とする請求項１記載の伝送装置。
【請求項４】
リングネットワークを構成する伝送装置において、
信号のアッド・ドロップおよびクロスコネクトを行う挿入・分離多重変換手段と、
アッドされる前記信号に連続的に変化する連続情報を挿入する連続情報挿入手段と、
ドロップされる前記信号に含まれている前記連続情報を検出する連続情報検出手段と、
前記連続情報検出手段によって検出された前記連続情報が連続的であるか否かによって、ドロップされる前記信号を廃棄する信号廃棄手段と、
を有することを特徴とする伝送装置。
【請求項５】
前記連続情報は、連続的な数値であることを特徴とする請求項４記載の伝送装置。
【発明の詳細な説明】
【技術分野】
【０００１】
本発明は伝送装置に関し、特にリングネットワークを構成しデータをアッド・ドロップする伝送装置に関する。
【背景技術】
【０００２】
一般にリングネットワークを構成する伝送装置（例えば、ＳＯＮＥＴ（Synchronous Optical Network）／ＳＤＨ（Synchronous Digital Hierarchy）の伝送装置）には、通信障害に備えてＢＬＳＲ（BI- direction Line Switched Ring）やＵＰＳＲ（Uni-direction Protection Switched Ring）のアーキテクチャが存在する。
【０００３】
図１７は、ＢＬＳＲにおける従来の伝送装置のブロック構成図である。図に示すように伝送装置は、ＡＤＭ（Add/Drop Multiplexer）／ＢＬＳＲ部２００を有している。ＡＤＭ／ＢＬＳＲ部２００は、ＡＤＭ２０１、ＥｏＳ（Ether Over SDH）２０２、ＳＷ（Switch）２０３，２０４、およびＢＲ（Bridge）２０５，２０６を有している。なお、以下の説明においては、ＳＤＨを前提に説明するが、ＳＯＮＥＴにおいても同様に適用可能である。
【０００４】
ＡＤＭ２０１は、パス単位で信号のＡＤＤ／ＤＲＯＰおよびクロスコネクトを行う。ＥｏＳ２０２は、下位のネットワークから送られてくるイーサネット（登録商標）のパケットをＳＤＨのＡＤＤパスに変換し、また、ＡＤＭ２０１から出力されるＳＤＨのＤＲＯＰパスをイーサネットのパケットに変換して下位のネットワークに出力する。
【０００５】
ＳＷ２０３，２０４は、セクション単位でＡＤＭ２０１に入力する信号のＷ（Work）／Ｐ（Protection）のルート切り替えを行う。ＢＲ２０５，２０６は、制御信号に応じて、ＡＤＭ２０１から出力される信号をＷ／Ｐのルートへ分配（Distribute）する。なお、図の実線はリングネットワークのワークのルートを示し（ＡＤＭ２０１から下方に伸びる実線は除く）、点線はプロテクションのルートを示している。
【０００６】
図１８は、ＢＬＳＲにおける従来の伝送装置を用いたネットワーク構成例を示した図である。図に示すようにノード（伝送装置）２１１〜２２６は、リング状に接続されている。ノード２１１〜２２６は、図１７で示した伝送装置の機能を有している。図においてノード２１１は、パスのＡＤＤノードとし、ノード２２６は、パスのＤＲＯＰノードとする。ノード２１１〜２２６は、矢印２３１に示すＷ側のルートを伝送するパス（Ｗパス）によって、イーサネットパケットのＳＤＨ／ＳＯＮＥＴによる伝送を提供している。なお、ノード２１１〜２２６の冗長切り替えは、BellcoreGR1230に準拠するものとする。
【０００７】
また、図には、矢印２３３に示すように、ノード２２５，２２６の一部詳細を示している。ノード２２５のＡＤＭ２２５ａおよびＢＲ２２５ｂは、例えば、図１７で示したＡＤＭ２０１およびＢＲ２０６が対応する。また、ノード２２６のＡＤＭ２２６ａおよびＳＷ２２６ｂは、例えば、図１７で示したＡＤＭ２０１およびＳＷ２０４が対応する。
【０００８】
ここで、ノード２２５とノード２２６との間のスパンにおいて、ＦＳ−Ｒ（オペレータによるパス切り替え：Forced Switch-Ring）を実施したとする。例えば、オペレータは、端末を用いて、矢印２３４に示すようにノード２２６からＦＳ−Ｒ／ＩＤＬＥが出力されるように操作したとする。
【０００９】
この場合、ノード２２５は、ＦＳ−Ｒのリクエストに応じて、ブリッジを実施する。すなわち、信号（データ）は、ＢＲ２２５ｂにおいて分配され、矢印２３１に示すＷパスと矢印２３２に示すＰ側のルートを伝送するパス（Ｐパス）とによって伝送される。つまり、ノード２２６には、矢印２３１，２３２に示すＷパスとＰパスとによって、同じデータが伝送される。
【００１０】
ただし、Ｐパスは、Ｗパスの伝送路長＋１５スパン（ノード２２５，２２４間のスパン＋ノード２２４，２２３間のスパン＋…＋ノード２１１，２２６間のスパン）の伝送路長となるため、ノード２２６において、Ｗパスで受信するデータとＰパスで受信する同一のデータとでは遅延差が生じる。例えば、１スパンの伝送距離を最大８０ｋｍとすると、ファイバ遅延差が最大で約６ｍｓ、１ノードあたりの伝送遅延を０．１ｍｓ程度とすると、Ｗ／Ｐパスのデータ遅延差は、７．５ｍｓ程度となる。このため、ノード２２５でブリッジが実施された状態では、ノード２２６のＰパスには、Ｗパスのデータに対してデータ遅延差分遅れたデータが到達している状態である。このとき、ノード２２６はＳＷ２２６ｂのＰパスへの切り替えが実施される前、すなわち、スイッチ切り替えの実施前であり、ＷパスのデータをＤＲＯＰしている。
【００１１】
図１９は、スイッチ切り替え後のネットワーク構成例を示した図である。図１９において、図１８と同じものには同じ符号を付し、その説明を省略する。
ノード２２５のブリッジ実施後、ブリッジ完了の情報（ＦＳ−Ｒ／Ｂｒ）が、矢印２３５に示すようにノード２２５からノード２２６に送信される。これにより、ノード２２６では、ＳＷ２２６ｂの切り替えが行われ、ＡＤＭ２２６ａに示すようにＤＲＯＰパスがＷパスからＰパスに切り替わる。
【００１２】
このとき、ノード２２６のＤＲＯＰ出力には、ＷパスとＰパスとの遅延差分、データが重複して出力されることになる。例えば、伝送路の伝送速度が１０Ｇｂｐｓであれば、７５Ｍｂｉｔの重複データが出力されることになる。ＢＬＳＲ切り替えにおいては、ＦＳ−Ｒ、ＳＤ−Ｒ（Signal Degrade-Ring）、ＭＳ−Ｒ（Manual Switching-Ring）において、このようなことが発生する。なお、ＵＰＳＲの場合においても、運用系／予備系の切り替え遅延差により同様の問題が発生する。
【００１３】
重複データを出力する問題は、実運用上、回線保守のためにＦＳ−Ｒ／ＭＳ−Ｒ制御を実施した場合に多く発生する。保守中の動作ということで、ＳＤＨ内のデータが重複しても問題とならない場合もあるが、昨今では、伝送路内のデータの多くがイーサネットなどのパケットデータとなっており、ＤＲＯＰ側でのＩＰトラフィックの増加原因となる。
【００１４】
重複パケットは、ＩＰルータなどで通常廃棄されるが、接続される機器によっては、データの破壊やトラフィックの切断など、重大な障害の要因となる可能性がある。特に、ネットワークのバックボーンとなる伝送装置において重複パケットが生成されると、ネットワークに致命的な障害を発生する恐れがある。
【００１５】
なお、ＳＯＮＥＴ／ＳＤＨリングにおいて、データの重複を防ぐ手段としてＵＰＳＲにおける無瞬断パスを提供する手段が存在し、ＵＰＳＲをＢＬＳＲに融合させて、ＢＬＳＲシステムで無瞬断パスを実現でき、回線収容効率と回線信頼性との２つの利点を併せ持つことができ、かつ、メモリ容量を低減することができる光双方向リング切り替え方法が提供されている（例えば、特許文献１参照）。
【特許文献１】国際公開第０１／０６１９３７号パンフレット
【発明の開示】
【発明が解決しようとする課題】
【００１６】
しかし、従来の伝送装置には、現用系／予備系切り替えによるパケット重複を防止する手段は存在せず、ＳＯＮＥＴ／ＳＤＨリングのＡＤＤ／ＤＲＯＰポートにルータなどを接続し、またはＥｏＥ（Ethernet over Ethernet）などの技術を用いた重複パケットフィルタを設けていた。そのため、ＳＯＮＥＴ／ＳＤＨリングのＡＤＤ／ＤＲＯＰポートごとに、ルータまたはフィルタを設ける必要があり、トラフィックレートの低下やコストアップにつながるという問題点があった。
【００１７】
また、無瞬断パスのはＵＰＳＲのようにＷパス、Ｐパスに常に同じデータを流している必要があり、ＢＬＳＲには適用できないという問題点があった。
本発明はこのような点に鑑みてなされたものであり、データ重複を検出し、重複データを廃棄することによって、ドロップ側に重複パケットの出力を回避する伝送装置を提供することを目的とする。
【課題を解決するための手段】
【００１８】
本発明の一実施態様では上記問題を解決するために、図１に示すようなリングネットワークを構成する伝送装置において、信号のアッド・ドロップおよびクロスコネクトを行う挿入・分離多重変換手段１と、制御信号に応じて挿入・分離多重変換手段１から出力される信号をリングネットワークのワークとプロテクションとのルートに分配して出力するブリッジ３ａ，３ｂと、ブリッジ３ａ，３ｂが信号の分配を実施したとき、ワーク側に出力される信号に廃棄情報を挿入する廃棄情報挿入手段４ａ，４ｂと、ドロップされる信号に廃棄情報が含まれているか否か検出する廃棄情報検出手段５と、廃棄情報検出手段５の廃棄情報の検出に基づいて、ドロップする信号を廃棄する信号廃棄手段６と、を有することを特徴とする伝送装置が提供される。
【００１９】
このような伝送装置によれば、ブリッジを実施する際にブリッジ３ａ，３ｂによってワークとプロテクションとのルートに分配される信号のうち、リングネットワークのワーク側に分配される信号には、廃棄情報を挿入する。そして、信号をドロップする伝送装置では、ドロップする信号に廃棄情報が含まれているか否か検出し、廃棄情報の検出に基づいて、ドロップする信号を廃棄する。これにより、伝送装置において重複するデータを検出でき、廃棄できる。
【００２０】
また本発明では上記問題を解決するために、リングネットワークを構成する伝送装置において、信号のアッド・ドロップおよびクロスコネクトを行う挿入・分離多重変換手段と、アッドされる信号に連続的に変化する連続情報を挿入する連続情報挿入手段と、ドロップされる信号に含まれている連続情報を検出する連続情報検出手段と、連続情報検出手段によって検出された連続情報が連続的であるか否かによって、ドロップされる信号を廃棄する信号廃棄手段と、を有することを特徴とする伝送装置が提供される。
【００２１】
このような伝送装置によれば、アッドする信号に連続的に変化する連続情報を挿入する。そして、信号をドロップする伝送装置では、ドロップする信号に含まれる連続情報が連続的であるか否か監視し、ドロップされる信号を廃棄する。これにより、伝送装置において重複データを検出でき、廃棄できる。
【発明の効果】
【００２２】
本発明の伝送装置では、ブリッジによってワークとプロテクションとのルートに分配される信号のうち、ワーク側に分配される信号には、廃棄情報を挿入する。そして、信号をドロップする伝送装置では、ドロップする信号に廃棄情報が含まれているか否か検出し、廃棄情報の検出に基づいて、ドロップする信号を廃棄するようにした。これによって、伝送装置において重複データを廃棄でき、重複データを廃棄するためのルータやフィルタが不要となる。
【００２３】
また本発明の伝送装置では、アッドする信号に連続的に変化する連続情報を挿入する。そして、データをドロップする伝送装置では、ドロップする信号に含まれる連続情報が連続的であるか否か監視し、ドロップされる信号を廃棄するようにした。これにより、伝送装置において重複データを廃棄でき、重複データを廃棄するためのルータやフィルタが不要となる。
【発明を実施するための最良の形態】
【００２４】
以下、本発明の原理を図面を参照して詳細に説明する。
図１は、伝送装置の概要を説明する図である。図に示すように伝送装置は、挿入・分離多重変換手段１、ＳＷ２ａ，２ｂ、ブリッジ３ａ，３ｂ、廃棄情報挿入手段４ａ，４ｂ、廃棄情報検出手段５、および信号廃棄手段６を有している。
【００２５】
挿入・分離多重変換手段１は、信号のアッド・ドロップおよびクロスコネクトを行う。
ブリッジ３ａ，３ｂは、例えば、ＦＳ−Ｒの制御信号が受信されると、挿入・分離多重変換手段１から出力される信号を、リングネットワークのワークとプロテクションとのルートに分配して出力する。なお、図の実線はリングネットワークのワーク側のルートを示し（挿入・分離多重変換手段１から下方に伸びる実線は除く）、点線はプロテクション側のルートを示している。
【００２６】
廃棄情報挿入手段４ａ，４ｂは、ブリッジ３ａ，３ｂが、例えば、ＦＳ−Ｒによって信号の分配を実施したとき、ブリッジ３ａ，３ｂの出力するワーク側の信号に廃棄情報を挿入する。
【００２７】
廃棄情報検出手段５は、挿入・分離多重変換手段１によってドロップされる信号に廃棄情報が含まれているか否か検出する。
信号廃棄手段６は、廃棄情報検出手段５の廃棄情報の検出に基づいて、信号を廃棄する。具体的には、信号廃棄手段６は、廃棄情報検出手段５によって廃棄情報が検出されると、ドロップされる信号を廃棄するようにする。
【００２８】
ＳＷ２ａ，２ｂは、ブリッジを行った他の伝送装置からの応答を受けて、ワークとプロテクションとのルートの一方の信号を挿入・分離多重変換手段１に出力する。
以下、伝送装置の動作について説明する。
【００２９】
ブリッジ３ａ，３ｂは、ＦＳ−Ｒが受信されると、挿入・分離多重変換手段１から出力される信号をワークとプロテクションのルートに分配して出力する。これにより、リングネットワークのワークとプロテクションのルートに同じ信号が伝送され、信号をドロップするドロップ側の伝送装置では、同じ信号が受信されることになる。
【００３０】
廃棄情報挿入手段４ａ，４ｂは、ブリッジ３ａ，３ｂが出力するワーク側の信号に廃棄情報を挿入する。
ドロップ側の伝送装置の廃棄情報検出手段５は、挿入・分離多重変換手段１から出力されるドロップされる信号に、廃棄情報が含まれているか否か検出する。そして、信号廃棄手段６は、信号に廃棄情報が含まれている場合、ドロップされる信号を廃棄する。
【００３１】
すなわち、ドロップ側の伝送装置には、ブリッジを行った伝送装置のＦＳ−Ｒに基づく切り替え制御（ブリッジによる信号の分配）によって、リングネットワークのワークとプロテクションのルートから同じ信号が到着するが、ワーク側を伝送する信号には、廃棄情報が含まれており、ワーク側の信号を廃棄すれば、下位のネットワークに重複したデータを出力することはない。つまり、ドロップ側の伝送装置は、同一の信号のうち、プロテクション側の信号のみをドロップすることになる。
【００３２】
このように、本発明の伝送装置は、ブリッジ３ａ，３ｂによってワークとプロテクションとのルートに信号を分配するときに、分配される信号のうち、ワーク側に分配される信号には、廃棄情報を挿入する。そして、信号をドロップする伝送装置では、ドロップする信号に廃棄情報が含まれているか否か検出し、廃棄情報の検出に基づいて、ドロップする信号を廃棄するようにした。これによって、伝送装置において重複データを廃棄でき、ルータやフィルタが不要となる。また、重複データの送出に伴うトラフィックの増加を抑え、コスト低減を図ることが可能となる。
【００３３】
次に、本発明の第１の実施の形態を図面を参照して詳細に説明する。
図２は、第１の実施の形態に係る伝送装置のブロック構成図である。図に示すように伝送装置は、信号をＡＤＤ／ＤＲＯＰおよびクロスコネクトし、また、ＢＬＳＲの機能を発揮するためのＡＤＭ／ＢＬＳＲ部１０を有している。ＡＤＭ／ＢＬＳＲ部１０は、ＡＤＭ１１、ＥｏＳ１２、ＳＷ１３，１４、ＢＲ１５，１６、廃棄フラグ挿入部１７，１８、および廃棄フラグ検出部１９を有している。
【００３４】
ＡＤＭ１１は、パス単位で信号のＡＤＤ／ＤＲＯＰおよびクロスコネクトを行う。ＥｏＳ１２は、下位のネットワークから送られてくるパケットをＡＤＤパスに変換し、また、ＡＤＭ１１から出力されるＤＲＯＰパスをイーサネットのパケットに変換して下位のネットワークに出力する。
【００３５】
ＳＷ１３，１４は、セクション単位でＡＤＭ１１に入力する信号のＷ／Ｐのルート切り替えを行う。ＢＲ１５，１６は、例えば、ＦＳ−Ｒの制御信号に応じて、ＡＤＭ１１から出力される信号をＷ／Ｐのルートへ分配する。なお、図の実線はＷのルートを示し（ＡＤＭ１１から下方に伸びる実線は除く）、点線はＰのルートを示す。Ｗ／ＰのルートをＳＷ１３，１４およびＢＲ１５，１６で切り替えることによって、リングネットワークの伝送路に障害が発生しても、救済することができる。
【００３６】
廃棄フラグ挿入部１７は、例えば、ＢＲ１６がＦＳ−Ｒによってブリッジを実施した場合、ＢＲ１６から出力される信号のＷパスのＰＯＨ（Path Over Head）内に、Ｗ／Ｐパスに同じ信号（データ）が分配されていることを示すためのフラグ（廃棄フラグ）を挿入する。同様に、廃棄フラグ挿入部１８も、ＢＲ１５がブリッジを実施した場合、ＢＲ１５から出力される信号のＷパスのＰＯＨ内に、Ｗ／Ｐパスに同じデータが分配されていることを示すためのフラグを挿入する。
【００３７】
廃棄フラグ検出部１９は、ＤＲＯＰパスのＰＯＨ内の廃棄フラグを監視し、廃棄フラグがＰＯＨ内に挿入されていた場合には、そのパスのフレームを廃棄し、ＤＲＯＰ側にデータ（パケット）を出力しないようにする。
【００３８】
次に、図２の伝送装置を用いたネットワーク構成例について説明する。
図３は、図２の伝送装置を用いたネットワーク構成例を示した図である。図に示すようにノード２１〜３６は、リング状に接続されている。ノード２１〜３６は、図２で示した伝送装置の機能を有している。図においてノード２１は、パスのＡＤＤノードとし、ノード３６は、パスのＤＲＯＰノードとする。ノード２１〜３６は、矢印４１に示すＷパスによって、イーサネット伝送を提供している。なお、ノード２１〜３６の冗長切り替えは、BellcoreGR1230に準拠するものとする。
【００３９】
また、図には、矢印４３に示すように、ノード３５，３６の一部詳細を示している。ノード３５のＡＤＭ３５ａ、ＢＲ３５ｂ、および廃棄フラグ挿入部３５ｃは、例えば、図２で示したＡＤＭ１１、ＢＲ１６、および廃棄フラグ検出部１９が対応する。また、ノード３６のＡＤＭ３６ａ、ＳＷ３６ｂ、および廃棄フラグ検出部３６ｃは、例えば、図２で示したＡＤＭ１１、ＳＷ１４、および廃棄フラグ検出部１９が対応する。
【００４０】
ここで、ノード３５とノード３６との間のスパンにおいて、ＦＳ−Ｒを実施したとする。例えば、オペレータは、端末を用いて、矢印４４に示すようにノード３６からＦＳ−Ｒ／ＩＤＬＥが出力されるように操作したとする。
【００４１】
この場合、ノード３５は、ＦＳ−Ｒのリクエストに応じて、ブリッジを実施する。すなわち、データは、ノード３５のＢＲ３５ｂにおいて分配され、矢印４１に示すＷパスと、矢印４２に示すＰパスとで伝送される。従って、ノード３６には、図に示すようにＷパスとＰパスとから同じデータが伝送される。ただし、ノード３５から出力されるＷパスのＰＯＨには、廃棄フラグ挿入部３５ｃによって、廃棄フラグが挿入されている。
【００４２】
この段階では、まだノード３６は、スイッチ３６ｂによってＷパスのデータを選択している。ＷパスのＰＯＨ内には、廃棄フラグが挿入されているため、ノード３６の廃棄フラグ検出部３６ｃは、ＤＲＯＰパスを廃棄する。従って、ノード３６からは、ＤＲＯＰ側にパケットが出力されることはない。
【００４３】
次に、ノード３５のブリッジに続いて、ノード３６のスイッチ切り替えが実施された場合について説明する。
図４は、スイッチ切り替え後のネットワーク構成例を示した図である。図４において、図３と同じものには同じ符号を付し、その説明を省略する。
【００４４】
ノード３５のブリッジ実施後、ブリッジ完了の情報（ＦＳ−Ｒ／Ｂｒ）が矢印４５に示すようにノード３５からノード３６に送信される。これにより、ノード３６では、ＳＷ３６ｂの切り替えが行われ、ＡＤＭ３６ａに示すようにＤＲＯＰパスがＷパスからＰパスに切り替わる。
【００４５】
このとき、ＰパスのフレームのＰＯＨ内には、廃棄フラグが挿入されていないため、Ｐパスは、廃棄フラグ検出部３６ｃによって廃棄されることはない。すなわち、ノード３６は、パスのフレーム内のデータをパケットとして、下位のネットワークに出力することになる。
【００４６】
このように、ブリッジが開始された場合、ＷパスのフレームのＰＯＨ内に廃棄フラグを挿入する。そして、ＤＲＯＰ側のノードにおいて、ＰＯＨ内の廃棄フラグを監視し、ＰＯＨ内に廃棄フラグが挿入されている場合には、そのパスのフレームを廃棄するようにした。これにより、ブリッジの開始後においても、Ｗ／Ｐパスの遅延差による重複パケットの出力を回避することができる。
【００４７】
なお、ＰＯＨ内の廃棄フラグの代わりに、Ｗパスを異常パスとする方法を用いることもできる。例えば、ブリッジが開始された場合、ＷパスのペイロードをＰＡＩＳ（Path Alarm Indication Signal）／ＵＮＥＱ（Unequiped）などの正常以外の状態にすることで、ＤＲＯＰ側の重複パケットの出力を回避する。具体的には、図２の廃棄フラグ挿入部１７，１８を、ＰＡＩＳ／ＵＮＥＱ部とする。このＰＡＩＳ／ＵＮＥＱ部は、ブリッジが開始されると、Ｗパスのフレームを、正常ではない状態となるように設定する。そして、ＤＲＯＰ側のノードのＡＤＭは、ＰＡＩＳ／ＵＮＥＱのフレームを受信すると、そのフレームを廃棄するようにする。
【００４８】
また、パスフレームのペイロード内に、制御データを挿入する方法を用いることもできる。例えば、ブリッジが開始された場合、Ｗパスのペイロード内に制御データを挿入する。具体的には、図２の廃棄フラグ挿入部１７，１８を、制御データ挿入部とし、廃棄フラグ検出部１９を、制御データ検出部とする。この制御データ挿入部は、ブリッジが開始されると、Ｗパスのペイロードに、廃棄制御情報を挿入する。そして、ＤＲＯＰ側のノードの制御データ検出部は、受信したＷパスのペイロードに、廃棄制御情報が含まれていると、そのフレームを廃棄するようにする。
【００４９】
次に、本発明の第２の実施の形態を図面を参照して詳細に説明する。第２の実施の形態に係る伝送装置は、ＳＴＭ（Synchronous Transport Module）６４のＢＬＳＲリングで、FastEthernetのＡＤＤ／ＤＲＯＰポートを持つものとする。
【００５０】
図５は、第２の実施の形態に係る伝送装置のブロック構成図である。図に示すように伝送装置は、ＡＤＭ／ＢＬＳＲ部５０、ＳＴＭ６４ＩＮＦ（Interface）６１〜６４、およびＦａｓｔＥｔｈｅｒＩＮＦ７０を有している。
【００５１】
ＡＤＭ／ＢＬＳＲ部５０は、ＡＤＭ５１、ＳＷ５２，５３、ＢＲ５４，５５、廃棄フラグ挿入部５６，５７、および制御部５８を有している。なお、ＡＤＭ／ＢＬＳＲ部５０のＡＤＭ５１、ＳＷ５２，５３、ＢＲ５４，５５、および廃棄フラグ挿入部５６，５７は、図２で説明したＡＤＭ／ＢＬＳＲ部１０のＡＤＭ１１、ＳＷ１３，１４、ＢＲ１５，１６、および廃棄フラグ挿入部１７，１８と同様であり、その詳細な説明を省略する。ただし、廃棄フラグ挿入部５６，５７は、ＰＯＨのＮ１バイトに、廃棄フラグを挿入する。Ｎ１バイトは未使用のため、既存のインフラにおいて、Ｗ／Ｐパス切り替え時のデータ重複を抑制することができる。
【００５２】
制御部５８は、ＦＳ−Ｒを受信すると、データがＷ／Ｐパスに分配して出力されるように、ＢＲ５４，５５を制御する。また、制御部５８は、ＦＳ−Ｒを受信すると、データのＰＯＨ内に廃棄フラグが挿入されるように、廃棄フラグ挿入部５６を制御する。ＳＴＭ６４ＩＮＦ６１〜６４は、光または電気信号の送受信を行うＳＴＭ６４のインターフェースユニットである。
【００５３】
ＦａｓｔＥｔｈｅｒＩＮＦ７０は、１０Ｂａｓｅ−Ｔまたは１００Ｂａｓｅ−ＴＸのパケットをＶＣ３，ＶＣ４のＡＤＤパスに変換してＡＤＭ５１に出力する。また、ＡＤＭ５１から出力されるＶＣ３，ＶＣ４のＤＲＯＰパスを１０Ｂａｓｅ−Ｔまたは１００Ｂａｓｅ−ＴＸのパケットに変換して下位のネットワークに出力する。なお、ＦａｓｔＥｔｈｅｒＩＮＦ７０は、ＤＲＯＰパスのＰＯＨ内に廃棄フラグが含まれている場合には、そのフレームを廃棄する。
【００５４】
図６は、ＦａｓｔＥｔｈｅｒＩＮＦの詳細を示した図である。ＦａｓｔＥｔｈｅｒＩＮＦ７０は、図に示すようにＰＨＹ（physical layer）／ＭＡＣ（Media Access Control）部７１、ＰＰＰ（Point-to-point Protocol）／ＧＦＰ（Generic Framing Procedure）部７２、ＰＯＨＧＥＮ（Path Over Head Generator）部７３、ＰＯＨＤＥＴ（Path Over Head Detection）部７４、廃棄フラグ検出部７５、およびフレームバッファ７６を有している。
【００５５】
ＰＨＹ／ＭＡＣ部７１は、イーサネットのポートを終端する。また、ＰＰＰ／ＧＦＰ部７２でデマッピングされたパケットをイーサネットのポートに出力する。
ＰＰＰ／ＧＦＰ部７２は、ＰＰＰ／ＧＦＰフレーマ機能を有する。ＰＰＰ／ＧＦＰ部７２は、パケットをＳＤＨのパスのＰＰＰ／ＧＦＰストリーム（ペイロード）にマッピングし、また、ＳＤＨのパスのペイロードのデータをパケットにデマッピングする。ＰＯＨＧＥＮ部７３は、ＰＯＨを生成し、ペイロードに付加して、ＡＤＭ／ＢＬＳＲ５０に出力する。
【００５６】
ＰＯＨＤＥＴ部７４は、ＡＤＭ／ＢＬＳＲ５０から出力されるパスのＰＯＨを検出する。そして、ＰＯＨＤＥＴ部７４は、ＰＯＨのＮ１バイトを廃棄フラグ検出部７５に出力する。フレームバッファ７６は、ＰＯＨＤＥＴ部７４から出力されるパスフレームを一時的に保持する。廃棄フラグ検出部７５は、ＰＯＨＤＥＴ部７４から出力されるＮ１バイトに廃棄フラグが挿入されていた場合、フレームバッファ７６に保持されている対応するパスフレームを廃棄する。
【００５７】
図５の説明に戻る。廃棄フラグ挿入部５６について詳細に説明する。
図７は、廃棄フラグ挿入部の詳細を示した図である。図に示すように廃棄フラグ挿入部５６は、通常フラグパターン生成部５６ａ、廃棄フラグパターン生成部５６ｂ、セレクタ５６ｃ、およびＰＯＨ挿入部５６ｄを有している。
【００５８】
通常フラグパターン生成部５６ａは、ＳＤＨのパスが正常であることを示すフラグパターンを生成する。廃棄フラグパターン生成部５６ｂは、ＳＤＨのパスを廃棄すべきであることを示すフラグパターンを生成する。通常フラグパターンは、例えば、１０１００１０１とし、廃棄フラグパターンは、ビットエラー発生時の誤作動を防ぐため、通常フラグパターンを反転した０１０１１０１０とする。
【００５９】
セレクタ５６ｃは、制御部５８の制御によって、通常フラグパターン生成部５６ａおよび廃棄フラグパターン生成部５６ｂから出力されるフラグパターンの一方をＰＯＨ挿入部５６ｄに出力する。制御部５８は、通常時、通常フラグパターンが出力されるようにセレクタ５６ｃを制御し、例えば、ＦＳ−Ｒの制御信号を受信すると、廃棄フラグパターンが出力されるようにセレクタ５６ｃを制御する。
【００６０】
ＰＯＨ挿入部５６ｄは、セレクタ５６ｃから出力されるフラグパターンを、ＰＯＨのＮ１バイトに挿入する。
なお、廃棄フラグ挿入部５７も図７と同様のブロック構成を有する。
【００６１】
図８は、フラグパターンを説明する図である。図には、ＳＴＭ６４のフレームとそのＳＯＨ（Section Over Head）が示してある。また、ＳＴＭ６４のペイロードに格納されるパスのＰＯＨとＰＰＰ／ＧＦＰストリームデータとが示してある。通常フラグパターンおよび廃棄フラグパターンは、図に示すようにＰＯＨのＮ１バイトに挿入される。
【００６２】
図９は、廃棄されるフレーム対象を説明する図である。図には、図６で説明したフレームバッファ７６に一時記憶されるＳＤＨのパスフレームが示してある。図には３つのＮ１バイトが示してあり、これらのＮ１バイトは上から通常フラグパターン、廃棄フラグパターン、廃棄フラグパターンを示しているものとする。
【００６３】
図６で説明した廃棄フラグ検出部７５は、Ｎ１バイトにおいて廃棄フラグパターンを検出すると、フレームバッファ７６のパスフレームを廃棄する。このとき、廃棄フラグ検出部７５は、図９に示すように、廃棄フラグパターンを示すＮ１バイトの次のパスフレームを、パスフレームの先頭からペイロードの最後まで廃棄するようにする。
【００６４】
このようにして、ＢＬＳＲでのブリッジ実施中に重複するＷ／Ｐのデータうち、Ｗ側のデータをＤＲＯＰノードで廃棄することが可能となり、ＤＲＯＰデータの重複を回避することができる。
【００６５】
なお、廃棄フラグ検出部７５が廃棄パスを判定する間、受信パスフレームを待ち合わせる必要があるため、フレームバッファ７６は、１フレーム分以上記憶できる容量を備えるようにする必要がある。
【００６６】
次に、本発明の第３の実施の形態を図面を参照して詳細に説明する。第１の実施の形態および第２の実施の形態では、廃棄フラグをＰＯＨ内に挿入して、ＤＲＯＰデータの重複を回避していた。これに対し、第３の実施の形態では、ＰＯＨにシーケンシャルＮｏを挿入し、ＤＲＯＰ側のノードでシーケンシャルＮｏの連続性を監視することによって、ＤＲＯＰデータの重複を回避する。
【００６７】
図１０は、第３の実施の形態に係る伝送装置のブロック構成図である。図に示すように伝送装置は、データをＡＤＤ／ＤＲＯＰおよびクロスコネクトし、また、ＢＬＳＲの機能を発揮するためのＡＤＭ／ＢＬＳＲ部８０を有している。ＡＤＭ／ＢＬＳＲ部８０は、ＡＤＭ８１、ＥｏＳ８２、ＳＷ８３，８４、ＢＲ８５，８６、シーケンシャルＮｏ挿入部８７、およびシーケンシャルＮｏ検出部８８を有している。なお、ＡＤＭ８１、ＥｏＳ８２、ＳＷ８３，８４、およびＢＲ８５，８６は、図２で説明したＡＤＭ１１、ＥｏＳ１２、ＳＷ１３，１４、およびＢＲ１５，１６と同様であり、その詳細な説明は省略する。
【００６８】
シーケンシャルＮｏ挿入部８７は、ＡＤＤパスの連続性を示すために、ＡＤＤパスのＰＯＨ内に、例えば、１ずつインクリメントしたシーケンシャルＮｏを挿入する。
シーケンシャルＮｏ検出部８８は、ＤＲＯＰパスのＰＯＨ内に挿入されているシーケンシャルＮｏを検出し、そのシーケンシャルＮｏが連続しているか否か監視する。シーケンシャルＮｏ検出部８８は、連続しないシーケンシャルＮｏのＤＲＯＰパスは廃棄し、データ（パケット）を下位のネットワークに出力しないようにする。例えば、シーケンシャルＮｏが…，５，６，７と続いていたとする。この場合、シーケンシャルＮｏ検出部８８は、シーケンシャルＮｏが８以外のＤＲＯＰパスを廃棄し、シーケンシャルＮｏが８のＤＲＯＰパスは疎通させる。
【００６９】
次に、図１０の伝送装置を用いたネットワーク構成例について説明する。
図１１は、図１０の伝送装置を用いたネットワーク構成例を示した図である。図に示すようにノード９１〜１０６は、リング状に接続されている。ノード９１〜１０６は、図１０で示した伝送装置の機能を有している。図においてノード９１は、パスのＡＤＤノードとし、ノード１０６は、パスのＤＲＯＰノードとする。ノード９１〜１０６は、矢印１１１に示すＷパスによって、イーサネット伝送を提供している。なお、ノード９１〜１０６の冗長切り替えは、BellcoreGR1230に準拠するものとする。
【００７０】
また、図には、矢印１１３に示すように、ノード９１，１０６の一部詳細を示している。ノード９１のＡＤＭ９１ａおよびシーケンシャルＮｏ挿入部９１ｂは、例えば、図１０で示したＡＤＭ８１およびシーケンシャルＮｏ挿入部８７が対応する。また、ノード１０６のＡＤＭ１０６ａ、ＳＷ１０６ｂ、およびシーケンシャルＮｏ検出部１０６ｃは、例えば、図１０で示したＡＤＭ８１、ＳＷ８４、およびシーケンシャルＮｏ検出部８８が対応する。
【００７１】
ここで、ノード１０５とノード１０６との間のスパンにおいて、ＦＳ−Ｒを実施したとする。例えば、オペレータは、端末を用いて、矢印１１４に示すようにノード１０６からＦＳ−Ｒ／ＩＤＬＥが出力されるように操作したとする。この場合、ノード１０５は、ＦＳ−Ｒのリクエストに応じて、ブリッジを実施する。
【００７２】
ノード１０５のブリッジ実施後、ブリッジ完了の情報（ＦＳ−Ｒ／Ｂｒ）が矢印１１５に示すようにノード１０５からノード１０６に送信される。これにより、ノード１０６では、ＳＷ１０６ｂの切り替えが行われ、ＤＲＯＰパスがＷパスからＰパスに切り替わる。従って、ＳＷ１０６ｂの切り替え前に送信されたＷパスのデータと、ＳＷ１０６ｂの切り替え後の遅延したＰパスのデータとが、ノード１０６において重複する。
【００７３】
ノード１０６に到達するＷパスとＰパスとのＰＯＨには、シーケンシャルＮｏ挿入部９１ｂによって、シーケンシャルＮｏが挿入されている。従って、ＳＷ１０６ｂの切り替え直後のＰパスには、すでに受信したＷパスと同じシーケンシャルＮｏが含まれ、シーケンシャルＮｏが過去のＮｏとなっているものが存在する。つまり、ノード１０６は、Ｗパスを受信した後に、遅延差分同じデータのＰパスを受信するため、同じシーケンシャルＮｏのフレームを受信することになる。よって、ＤＲＯＰ側のノード１０６では、下位のネットワークに送出したパスの次のシーケンシャルＮｏのパスを受信するまで、受信するＰパスのフレームを廃棄し、次のシーケンシャルＮｏのＰパスを受信した場合には、下位のネットワークに受信したＰパスのパケットを送出するようにする。
【００７４】
次に、ノード１０６におけるパスの流れについて説明する。
図１２は、ノードのパスの流れを説明する図である。図には、図１１で示したノード１０６のＳＷ１０６ｂおよびシーケンシャルＮｏ検出部１０６ｃが示してある。また、ＳＷ１０６ｂに入力されるＷ／ＰパスのシーケンシャルＮｏ（図中Ｓｅｑ．Ｎｏｘ、ｘ：正の整数）が示してある。
【００７５】
ノード１０５には、ＦＳ−Ｒがまだ送信されておらず、図の（ａ）に示すように、ノード１０６のＳＷ１０６ｂは、ノード１０５から出力されるＷパスをシーケンシャルＮｏ検出部１０６ｃに出力するとする。また、シーケンシャルＮｏ検出部１０６ｃには、シーケンシャルＮｏ７のパスが入力されたとする。従って、シーケンシャルＮｏ検出部１０６ｃは、次に入力されるべきパスのシーケンシャルＮｏは、Ｎｏ８であると認識する。
【００７６】
ノード１０５にＦＳ−Ｒが送信され、ノード１０６は、ブリッジ完了の情報をノード１０５から受信したとする。この場合、ＳＷ１０６ｂは、図の（ｂ）に示すようにパスをＷパスからＰパスに切り替える。この場合、受信したＰパスのシーケンシャルＮｏは、伝送路の遅延差によって、例えば、過去に受信したことのあるシーケンシャルＮｏ５となる。なお、シーケンシャルＮｏ検出部１０６ｃでは、シーケンシャルＮｏ８までのフレームを受信しており、次に受信するパスのシーケンシャルＮｏをＮｏ９であると認識しているとする。
【００７７】
シーケンシャルＮｏ検出部１０６ｃには、ＳＷ１０６ｂがＰパスに切り替わったことにより、過去に受信したことのあるシーケンシャルＮｏ５のパス（Ｐパス）が再び入力される。しかし、次に、受信すべきパスのシーケンシャルＮｏは、Ｎｏ９であるので、シーケンシャルＮｏ検出部１０６ｃは、シーケンシャルＮｏ５のＰパスを廃棄する。
【００７８】
シーケンシャルＮｏ検出部１０６ｃは、図の（ｃ）に示すように、シーケンシャルＮｏ８までのパスを廃棄する。そして、図（ｄ）に示すように、ＳＷ１０６ｂから出力されるシーケンシャルＮｏ９以降のパスは、廃棄せず疎通させる。
【００７９】
このように、フレームのＰＯＨ内にシーケンシャルＮｏを挿入する。これにより、ＤＲＯＰ側のノードにおいてシーケンシャルＮｏの連続性を監視し、シーケンシャルＮｏが連続しないパスを廃棄することによって、ＢＬＳＲでのブリッジ実施中に重複するパケットの出力を回避することができる。
【００８０】
また、ブリッジやスイッチに連動することなく、シーケンシャルＮｏをパスのＰＯＨに挿入して監視するため、第１の実施の形態および第２の実施の形態のようにＢＬＳＲのみならず、ＵＰＳＲのリングネットワークにおいても、パケットの重複出力を回避することができる。
【００８１】
次に、本発明の第４の実施の形態を図面を参照して詳細に説明する。第４の実施の形態に係る伝送装置は、ＳＴＭ６４のＢＬＳＲリングで、FastEthernetのＡＤＤ／ＤＲＯＰポートを持つものとする。
【００８２】
図１３は、第４の実施の形態に係る伝送装置のブロック構成図である。図に示すように伝送装置は、ＡＤＭ／ＢＬＳＲ部１２１、ＳＴＭ６４ＩＮＦ１２２，１２３、およびＦａｓｔＥｔｈｅｒＩＮＦ１３０を有している。
【００８３】
ＡＤＭ／ＢＬＳＲ部１２１は、データをＡＤＤ／ＤＲＯＰおよびクロスコネクトし、また、ＢＬＳＲの機能を発揮する。ＡＤＭ／ＢＬＳＲ部１２１は、例えば、図１７で示したＡＤＭ、ＳＷ、およびＢＲを有している。ＳＴＭ６４ＩＮＦ１２２，１２３は、光または電気信号の送受信を行うＳＴＭ６４のインターフェースユニットである。
【００８４】
ＦａｓｔＥｔｈｅｒＩＮＦ１３０は、ＰＨＹ／ＭＡＣ部１３１、ＰＰＰ／ＧＦＰ部１３２、ＳｅｑＮｏＧＥＮ（Sequence No Generator）部１３３、ＰＯＨＧＥＮ部１３４、ＰＯＨＤＥＴ部１３５、ＳｅｑＮｏ監視部１３６、フレームバッファ１３７を有している。なお、ＰＨＹ／ＭＡＣ部１３１、ＰＰＰ／ＧＦＰ部１３２、ＰＯＨＧＥＮ部１３４、ＰＯＨＤＥＴ部１３５、およびフレームバッファ１３７は、図６で説明したＰＨＹ／ＭＡＣ部７１、ＰＰＰ／ＧＦＰ部７２、ＰＯＨＧＥＮ部７３、ＰＯＨＤＥＴ部７４、およびフレームバッファ７６と同様であり、その詳細な説明を省略する。
【００８５】
ＳｅｑＮｏＧＥＮ部１３３は、ＡＤＤパスのＰＯＨ内のＮ１バイトに、パスフレームごとにインクリメントするシーケンシャルＮｏを挿入する。ＳｅｑＮｏＧＥＮ部１３３は、設定されたマルチフレーム周期で、シーケンシャルＮｏをリセットする。例えば、１マルチフレームが６３フレームであると、ＳｅｑＮｏＧＥＮ部１３３は、パスの１フレームごとにシーケンシャルＮｏを１から順にインクリメントし、６３フレームになると１にリセットする。
【００８６】
ＳｅｑＮｏ監視部１３６は、ＰＯＨＤＥＴ部１３５によって検出されたＮ１バイトのシーケンシャルＮｏの連続性を監視する。ＳｅｑＮｏ監視部１３６は、フレームバッファ１３７に記憶されている連続性のないシーケンシャルＮｏのパスフレームは、廃棄するようにする。
【００８７】
ＳｅｑＮｏ監視部１３６には、ＳｅｑＮｏＧＥＮ部１３３と同じマルチフレーム周期が設定される。従って、ＳｅｑＮｏ監視部１３６は、例えば、６３個のパスフレームの連続性を監視すると、次に受信すべきフレームのシーケンシャルＮｏは１であると認識する。なお、上記では、１マルチフレームを６３フレームとしたが、もちろんこれに限定されるものではない。
【００８８】
ＰＯＨ内のＮ１バイトにマッピングされるシーケンシャルＮｏについて説明する。
図１４は、ＰＯＨ内にマッピングされるシーケンシャルＮｏを説明する図である。ＳｅｑＧＥＮ部１３３は、図に示すようにＰＯＨ内のＮ１バイトに、パスフレームごとにインクリメントするシーケンシャルＮｏを挿入する。
【００８９】
シーケンシャルＮｏは、設定されたマルチフレーム周期でリセットされる。この周期は、Ｗ／Ｐパスの切り替え時の最大遅延差よりも長くする必要がある。例えば、８０ｋｍ×１６ノードのＢＬＳＲリングであれば、最大７．５ｍｓ程度の遅延差が見込まれるため、この場合、６３フレーム（７．８７５ｍｓ）をマルチフレーム周期とする。すなわち、遅延する可能性のあるＰパスのフレームのシーケンシャルＮｏを、少なくとも７．５ｍｓ分、全て監視できるようにマルチフレーム周期を設定する。
【００９０】
次に、シーケンシャルＮｏの監視によるフレーム廃棄について説明する。
図１５は、シーケンシャルＮｏの監視によるフレーム廃棄を説明する図である。図には、図１３で示したＳｅｑＮｏ監視部１３６およびフレームバッファ１３７が示してある。また、ＡＤＭ／ＢＬＳＲ１２１の有するＷ／Ｐパスを切り換えるＳＷが示してある。また、Ｗ／ＰパスのフレームのシーケンシャルＮｏが示してある。
【００９１】
図の（ａ）に示すように、ＳｅｑＮｏ監視部１３６は、受信されたフレームのＰＯＨ内のＮ１バイトがＳｅｑＮｏ１〜６３の周期でインクリメントされていることを監視する。ＳｅｑＮｏ監視部１３６は、シーケンシャルＮｏ＋１を期待値として、シーケンシャルＮｏの監視を行う。
【００９２】
Ｐパスへのスイッチ切り替えが行われると、図の（ｂ）に示すように、位相のずれたＷ／Ｐパスのフレームが受信される。ここでは、ＰパスがＷパスに対し、１３フレーム分遅れた例を示している。
【００９３】
ＳｅｑＮｏ監視部１３６は、これまで受信されたＷパスのシーケンシャルＮｏ１２の次のシーケンシャルＮｏ１３のＰパスを受信するまで、Ｐパスを廃棄するようにする。すなわち、ＳｅｑＮｏ監視部１３６は、フレームバッファ１３７に一時記憶されるシーケンシャルＮｏ１３以外のフレームを廃棄するようにする。
【００９４】
ＳｅｑＮｏ監視部１３６は、シーケンシャルＮｏ１３のＰパスが受信されると、図の（ｃ）に示すように、それ以降に受信されるフレームを廃棄せず、Ｐパスのフレームを疎通させる。この場合においても、ＳｅｑＮｏ監視部１３６は、シーケンシャルＮｏ＋１を期待値としてシーケンシャルＮｏを監視する。
【００９５】
ＰパスからＷパスへの切戻しが行われると、図の（ｄ）に示すように１３フレーム分位相の進んだフレーム（シーケンシャルＮｏ３０のＷパス）が受信される。この場合、ＳｅｑＮｏ監視部１３６は、シーケンシャルＮｏ３０からシーケンシャルＮｏ１６までのＷパスのフレームは、廃棄するようにする。すなわち、ＳｅｑＮｏ監視部１３６は、フレームバッファ１３７に一時記憶されるシーケンシャルＮｏ１７以外のフレームを廃棄するようにする。
【００９６】
なお、図１５の例では、Ｗ／Ｐパスの位相差が１３フレームとなっているため、マルチフレーム周期を１４〜１５フレーム程度に設定することができる。このように設定すると、図の（ｄ）の切戻し時における廃棄フレーム数を少なくすることができる。
【００９７】
次に、廃棄されるフレーム対象について説明する。
図１６は、廃棄されるフレーム対象を説明する図である。図に示すように、Ｎ１バイトを最後とする１フレーム分の領域（図中の太枠分の領域）が、シーケンシャルＮｏの示すデータ範囲となる。ＳＤＨのパスフレーム単位とは、ペイロードが１行分ずれているが、フレームの廃棄および疎通は、このデータ範囲で行う。
【００９８】
なお、シーケンシャルＮｏの挿入位置をＮ１バイトではなく、例えば、ペイロードの最後にすることができる。この場合、パスフレームの廃棄および疎通単位とシーケンシャルＮｏとを一致させることが可能である。
【００９９】
また、ＳｅｑＮｏ監視部１３６がシーケンシャルＮｏを判定する間、受信パスフレームを待ち合わせる必要があるため、フレームバッファ１３７は、１フレーム分以上記憶できる容量を備えるようにする必要がある。
【０１００】
また、ブリッジやスイッチに連動することなく、シーケンシャルＮｏをフレームのＰＯＨに挿入し、監視するため、第１の実施の形態および第２の実施の形態のようにＢＬＳＲのみならず、ＵＰＳＲのリングネットワークにおいても、パケットの重複出力を回避することができる。
【０１０１】
（付記１）  リングネットワークを構成する伝送装置において、
信号のアッド・ドロップおよびクロスコネクトを行う挿入・分離多重変換手段と、
制御信号に応じて前記挿入・分離多重変換手段から出力される前記信号を前記リングネットワークのワークとプロテクションとのルートに分配して出力するブリッジと、
前記ブリッジが前記信号の分配を実施したとき、前記ワーク側に出力される前記信号に廃棄情報を挿入する廃棄情報挿入手段と、
ドロップされる前記信号に前記廃棄情報が含まれているか否か検出する廃棄情報検出手段と、
前記廃棄情報検出手段の前記廃棄情報の検出に基づいて、ドロップする前記信号を廃棄する信号廃棄手段と、
を有することを特徴とする伝送装置。
【０１０２】
（付記２）  前記廃棄情報挿入手段は、前記信号のパスオーバヘッドのＮ１バイトに前記廃棄情報を挿入することを特徴とする付記１記載の伝送装置。
（付記３）  前記廃棄情報挿入手段は、前記信号のパスのペイロードに前記廃棄情報を挿入することを特徴とする付記１記載の伝送装置。
【０１０３】
（付記４）  前記廃棄情報挿入手段は、前記信号のパスをＰＡＩＳまたはＵＮＥＱの状態にすることを特徴とする付記１記載の伝送装置。
（付記５）  リングネットワークを構成する伝送装置において、
信号のアッド・ドロップおよびクロスコネクトを行う挿入・分離多重変換手段と、
アッドされる前記信号に連続的に変化する連続情報を挿入する連続情報挿入手段と、
ドロップされる前記信号に含まれている前記連続情報を検出する連続情報検出手段と、
前記連続情報検出手段によって検出された前記連続情報が連続的であるか否かによって、ドロップされる前記信号を廃棄する信号廃棄手段と、
を有することを特徴とする伝送装置。
【０１０４】
（付記６）  前記連続情報は、連続的な数値であることを特徴とする付記５記載の伝送装置。
（付記７）  前記数値は、前記リングネットワークのワークとプロテクションとのルートを伝送する前記信号の位相差より大きい値にすることを特徴とする付記６記載の伝送装置。
【０１０５】
（付記８）  前記連続情報挿入手段は、前記信号のパスオーバヘッドのＮ１バイトに前記連続情報を挿入することを特徴とする付記５記載の伝送装置。
（付記９）  前記連続情報挿入手段は、前記信号のパスのペイロードに前記連続情報を挿入することを特徴とする付記５記載の伝送装置。
【図面の簡単な説明】
【０１０６】
【図１】伝送装置の概要を説明する図である。
【図２】第１の実施の形態に係る伝送装置のブロック構成図である。
【図３】図２の伝送装置を用いたネットワーク構成例を示した図である。
【図４】スイッチ切り替え後のネットワーク構成例を示した図である。
【図５】第２の実施の形態に係る伝送装置のブロック構成図である。
【図６】ＦａｓｔＥｔｈｅｒＩＮＦの詳細を示した図である。
【図７】廃棄フラグ挿入部の詳細を示した図である。
【図８】フラグパターンを説明する図である。
【図９】廃棄されるフレーム対象を説明する図である。
【図１０】第３の実施の形態に係る伝送装置のブロック構成図である。
【図１１】図１０の伝送装置を用いたネットワーク構成例を示した図である。
【図１２】ノードのパスの流れを説明する図である。
【図１３】第４の実施の形態に係る伝送装置のブロック構成図である。
【図１４】ＰＯＨ内にマッピングされるシーケンシャルＮｏを説明する図である。
【図１５】シーケンシャルＮｏの監視によるフレーム廃棄を説明する図である。
【図１６】廃棄されるフレーム対象を説明する図である。
【図１７】ＢＬＳＲにおける従来の伝送装置のブロック構成図である。
【図１８】ＢＬＳＲにおける従来の伝送装置を用いたネットワーク構成例を示した図である。
【図１９】スイッチ切り替え後のネットワーク構成例を示した図である。
【符号の説明】
【０１０７】
１  挿入・分離多重変換手段
２ａ，２ｂ  ＳＷ
３ａ，３ｂ  ブリッジ
４ａ，４ｂ  廃棄情報挿入手段
５  廃棄情報検出手段
６  信号廃棄手段
【図１】
2008078940.tif 000003
【図２】
2008078940.tif 000004
【図３】
2008078940.tif 000005
【図４】
2008078940.tif 000006
【図５】
2008078940.tif 000007
【図６】
2008078940.tif 000008
【図７】
2008078940.tif 000009
【図８】
2008078940.tif 000010
【図９】
2008078940.tif 000011
【図１０】
2008078940.tif 000012
【図１１】
2008078940.tif 000013
【図１２】
2008078940.tif 000014
【図１３】
2008078940.tif 000015
【図１４】
2008078940.tif 000016
【図１５】
2008078940.tif 000017
【図１６】
2008078940.tif 000018
【図１７】
2008078940.tif 000019
【図１８】
2008078940.tif 000020
【図１９】
2008078940.tif 000021